(57)【特許請求の範囲】
【請求項１】
シンク周りで使用する部材を収納する収納ラックにおいて、収納ラックは、取り付け対象に引っ掛けて取り付けるために、フックとフックの一方の下端から上下方向に延びる直線部とを含み、左右一対に設けられた逆さＪ字状の引っ掛け部と、収納ラックに上向きの力が加わったときに取り付け対象の一部と係合して取り付け対象から収納ラックが外れるのを抑制するための抜け抑制部とを備えており、該抜け抑制部は、直線部の下端からフックの最後端部よりも後方まで延びるように、かつ取り付け対象に取り付けた状態において略水平となるように延設され、さらに下方に延びるように左右一対に設けられており、さらに抜け抑制部の下部から前方に延びる載置部、載置部から上方に延びる前端部、前端部の間に設けられた橋絡部を備える構成のワイヤからなることを特徴とする収納ラック。
【請求項２】
請求項１に記載の収納ラックであって、載置部が前後方向に傾斜していることを特徴とする収納ラック。
【請求項３】
収納ラックが取り付けられているシンクであって、シンクは、壁面に取り付けられたコの字型の固定部材を有しており、請求項１または２に記載の収納ラックが、直接または前記固定部材に取り付けられた籠状の収納部材に対して取り付けることが可能な構成とされていることを特徴とするシンク。
【発明の詳細な説明】
【技術分野】
【０００１】
本発明は、キッチンのシンクに取り付ける収納ラック及び該収納ラックを取り付けることができるシンクに関し、特に、シンク周りで使用するスポンジ等の部材を収納する収納ラック（スポンジラック）に関する。
【背景技術】
【０００２】
従来、洗剤とスポンジを並べて一緒に収納する籠状の収納ラックが知られている（特許文献１参照）。洗剤等を収納する収納部の下部にスポンジ収納部を一体的に形成した籠状の収納ラックが知られている（特許文献２参照）。
【先行技術文献】
【特許文献】
【０００３】
【特許文献１】特開２００５−１８５５６２号公報
【特許文献２】特開２００６−１５８４１４号公報
【発明の概要】
【発明が解決しようとする課題】
【０００４】
従来のシンク周りに取り付ける収納ラックは、洗剤ボトル、スポンジ等を混在して収納する状態であり、食器洗い専用のスポンジに対する衛生面をさらに考慮した構造とすることが望まれている。
【０００５】
また、シンク等の一部に引っ掛かるタイプの収納ラック、特にスポンジを収納する収納ラック（スポンジラック）のような場合は、スポンジを上方に取り出す際に、スポンジとともに収納ラック全体が持ち上がってしまい、収納ラックがシンクから脱落してしまい易いという問題がある。
【０００６】
本発明は、上記従来の問題を解決することを目的とし、スポンジ等を収納する収納ラックに抜け抑制部を形成することにより、スポンジ等を取り出すときに収納ラックが取り付け対象から脱落することを抑制するような構成を実現することを課題とするものである。
【課題を解決するための手段】
【０００７】
本発明は上記課題を解決するために、シンク周りで使用する部材を収納する収納ラックにおいて、収納ラックは、取り付け対象に引っ掛けて取り付けるために、フックとフックの一方の下端から上下方向に延びる直線部とを含み、左右一対に設けられた逆さＪ字状の引っ掛け部と、収納ラックに上向きの力が加わったときに取り付け対象の一部と係合して取り付け対象から収納ラックが外れるのを抑制するための抜け抑制部とを備えており、該抜け抑制部は、直線部の下端からフックの最後端部よりも後方まで延びるように、かつ取り付け対象に取り付けた状態において略水平となるように延設され、さらに下方に延びるように左右一対に設けられており、さらに抜け抑制部の下部から前方に延びる載置部、載置部から上方に延びる前端部、前端部の間に設けられた橋絡部を備える構成のワイヤからなることを特徴とする収納ラックを提供する。
【０００９】
前記収納ラックは、載置部が前後方向に傾斜している構成であることが好ましい。
【００１０】
本発明は上記課題を解決するために、上記収納ラックが取り付けられているシンクであって、シンクは、壁面に取り付けられたコの字型の固定部材を有しており、上記収納ラックが、直接または前記固定部材に取り付けられた籠状の収納部材に対して取り付けることが可能な構成とされていることを特徴とするシンクを提供する。
【発明の効果】
【００１１】
本発明によれば、スポンジ等を収納ラックから取り出すときに、スポンジとともに収納ラックが取り付け対象から脱落することを抑制することができる。
【図面の簡単な説明】
【００１２】
【図１】本発明に係るシンクの実施例を示す図であり（ａ）は全体構成を示し、（ｂ）はシンクの凹み部を示す斜視図である。
【図２】本発明に係る収納ラックの実施例を示す図であり、（ａ）は斜視図であり、（ｂ）は正面図であり、（ｃ）は側面図である。（ｄ）は従来例の側面図であり。（ｅ）は本発明の実施例の固定部材の平面図である。
【図３】実施例の収納ラックの変形例を示す側面図であり、（ａ）、（ｂ）は変形例１を示し、（ｃ）は変形例２を示し、（ｄ）は変形例３を示す。
【図４】（ａ）は籠状の収納部材の斜視図であり、（ｂ）、（ｃ）は、それぞれ籠状の収納部材をシンクの凹み部に取り付けた状態を示す側面図、斜視図である。
【図５】（ａ）、（ｂ）は実施例の収納ラックをシンクに取り付けた状態を示す側面図であり、（ｃ）は変形例１の収納ラックをシンクに取り付けた状態を示す側面図である。
【図６】（ａ）、（ｂ）は、それぞれ実施例の収納ラックをシンクの凹み部に取り付けた状態を示す斜視図、側面図であり、（ｃ）、（ｄ）は実施例の収納ラックを直接シンクの凹み部に取り付けた際の抜け止め手段を示す図であり、（ｅ）は従来の収納ラックの問題点を説明する図である。
【発明を実施するための形態】
【００１３】
本発明に係る収納ラック及び該収納ラックを取り付けるシンクを実施するための形態を実施例に基づき図面を参照して、以下説明する。
【実施例】
【００１４】
（シンク）
本発明に係る収納ラック及び該収納ラックを取り付けるシンクの実施例を説明する。図１（ａ）は、本発明におけるシンク１を上方前方から見た斜視図であり、図１（ｂ）はシンク１の一部である後方へ凹んだ凹み部２を示す図である。このシンク１は、底面３を囲むように、前壁、後壁４及び左右の側壁５が形成されており、上方から見て平面視で略矩形である。
【００１５】
シンク１の壁面のうち後壁４は、上方から見て、横幅方向の中央部分が前方へ凸状に形成された前面部６として、その左右両側は後方へ凹んだ凹み部２として構成されている。左右の凹み部２は、それぞれ平面視で側壁５、後面壁８及び内側壁９で囲まれている。
【００１６】
凹み部２の後面壁８は、図４（ｂ）に示すように、底面３に対して傾斜状に形成されている。具体的には、凹み部２の後面壁８の壁面は、鉛直面１０に対して傾斜角度θ（θは、例えば、５°程度）で、底面３から上方かつ後方に向けて伸びるように形成されている。
【００１７】
凹み部２の後面壁８の壁面に対して、上下方向中間位置であって凹み部２の横方向略中央の位置に、固定部材１１が固定して取り付けられている。固定部材１１は、図２（ｅ）に示すように、直線状の係合部１２と、該係合部１２の両端においてそれぞれ後方に向けて折り返された左右の折り返し部分１３から成り、全体形状は、平面視でコの字型をしている。固定部材１１の係合部１２の長さは、例えば、凹み部２の後面壁８の横幅の約１／３である。このようにすれば、収納ラックを安定して固定することができる。
【００１８】
左右の折り返し部分１３の端部には、ねじ部１４が形成されている。固定部材１１の左右の折り返し部分１３を、それぞれ凹み部２の後面壁８に形成した貫通孔に挿通し、そのねじ部１４に袋ねじ１５を螺着することで、後面壁８の背面に締着されている。これにより、コの字型をした固定部材１１は、凹み部２の後面壁８の壁面に対して側面視で垂直に固定されている。
【００１９】
なお、本実施例では、固定部材１１を凹み部２の後面壁８に固定したが、後面壁８でなくても、図示はしないが、側壁５及び内側壁９等のいずれかに取り付ける構成としてもよい。これにより、収納ラック１９又は後記する収納部材１８を、後面壁８ではなく、側壁５及び内側壁９等のいずれかに取り付けることも可能となる。
【００２０】
（収納ラック）
シンク１の凹み部２の後面壁８には、本発明の収納ラック１９を、シンク１の凹み部２の後面壁８の固定部材１１に直接引っ掛けて取り付けることができる。或いは、固定部材１１に籠状の収納部材１８を引っ掛けて取り付け、籠状の収納部材１８に、さらに本発明の収納ラック１９を引っ掛けて取り付けて使用することができる。この実施例では、本発明の収納ラック１９として、スポンジ等を載置して収納するスポンジラックの例で説明する。
【００２１】
図２は、本発明の収納ラック１９を説明する図である。この収納ラック１９は、図２（ａ）〜（ｃ）に、それぞれ斜視図、正面図、側面図を示すように、ワイヤが折り曲げられたワイヤラックとして形成されている。そして、収納ラック１９は、側面視で互いに同形の左右の側面部２０と、左右の側面部２０を前後においてそれぞれ結合する橋絡部２１とから一体に形成されている。
【００２２】
左右の側面部２０は、側面視で図２（ｃ）に示すように、上部の引っ掛け部２２と、下部の収納部２３とから一体に形成されている。引っ掛け部２２は、全体形状は側面視で逆さＪ字状をしており、上下に伸びる直線部２４と直線部２４の上端が後方に折り曲げられたフック２５とから形成されている。
【００２３】
収納部２３は、引っ掛け部２２の直線部２４の下端から後方に折り曲げられ、さらに下方に折り曲げられて形成されている抜け抑制部２６と、抜け抑制部２６の下部から前方に折り曲げられて伸びるスポンジの載置部２７と、載置部２７から上方に折り曲げられて垂直に伸びる前端部２８とから構成されている。
【００２４】
従来の収納ラック３１は図２（ｄ）に示すような構成であるが、このような構成であると、抜け抑制部２６がないので、スポンジを上方に取り出す際に、スポンジとともに収納ラック３１が上方に持ち上がり引っ掛け部３２が固定部材１１からはずれて落下するような問題が生じる。しかし、本発明の収納ラック１９では、抜け抑制部２６を設けたことで、従来の収納ラック３１のように、引っ掛け部３２が固定部材１１からはずれて落下するような問題を防止できる。
【００２５】
ところで、本発明の抜け抑制部２６は、次のような構成としている。即ち、抜け抑制部２６は、図２（ｃ）に示すように、引っ掛け部２２の直線部２４の下端から後方かつ水平に折り曲げられ、引っ掛け部２２のフック２５の最後端部２９より寸法ｓだけ後方（奥方）まで水平に延設されており、さらに下方に折り曲げられて形成されている。
【００２６】
要するに、本発明の収納ラック１９の抜け抑制部２６は、引っ掛け部２２のフック２５の最後端部２９より後方まで延設されている。このような構成とすることにより、収納ラック１９が、その下部が後方に回転して、スポンジが載置部２７から落下する（図６（ｅ）参照）ようなことが防止できる。
【００２７】
（収納ラックの変形例）
以下、収納ラックの変形例１〜３を図３において説明する。図３において、変形例１〜３は、それぞれ収納ラック３４〜３６として示す。収納ラック３４〜３６は、いずれも図２（ａ）〜（ｃ）に示す収納ラック１９と基本的には同じ構成である。
【００２８】
即ち、収納ラック３４〜３６は、それぞれ側面視で引っ掛け部２２の直線部２４の下端から後方かつ水平に折り曲げられ、引っ掛け部２２のフック２５の最後端部２９より後方（奥方）まで水平に延設されて、さらに下方に折り曲げられ、抜け抑制部２６が形成されている。そして、抜け抑制部２６の下部から前方に折り曲げられ、スポンジの載置部３７〜３９が形成されている。
【００２９】
変形例１：
図３（ａ）は、変形例１の収納ラック３４の側面図を示す。変形例１の収納ラック３４は、そのスポンジの載置部３７は、後方に向けて漸次下方となるように傾斜して形成されている。このような構成とすることにより、スポンジから排出される水が載置部３７に沿って後方に流れ、載置部３７の後端からシンク１内に流れ落ちる。従って、水が載置部３７に付着したりしにくくなるから、衛生的である。
【００３０】
この変形例１の収納ラック３４では、スポンジの載置部３７の傾斜角度αは、次のように形成されていることが好ましい。即ち、引っ掛け部２２をシンク１の固定部材１１又は籠状の収納部材１８に掛けて使用する際に、図３（ｂ）に示すように、後方に角度α’傾いて取り付けられても、載置部３７は、その後方が下方に傾斜することを維持できるように、即ちα−α’＞０となるように、スポンジの載置部３７の傾斜角度αは設計されている。
【００３１】
変形例２：
図３（ｃ）は、変形例２の収納ラック３５の側面図を示す。変形例２の収納ラック３５は、そのスポンジの載置部３８は、前方に向けて漸次下方となるように傾斜して形成されている。このような構成とすることにより、スポンジから排出される水が載置部３８の傾斜面に沿って前方に流れ、載置部２７の前端からシンク１内に流れ落ちる。従って、変形例１の収納ラック３４と同様に、水が載置部３８に付着したりしにくくなるから、衛生的である。
【００３２】
変形例３：
図３（ｄ）は、変形例３の収納ラック３６の側面図を示す。変形例３の収納ラック３６は、スポンジの載置部３９は、前後方向中央部に向けて漸次下方となるように傾斜してＶ字型に形成されている。このような構成とすることにより、スポンジから排出される水が載置部３９に沿って前後方向中央部に向けて流れ、シンク１内に流れ落ちる。従って、変形例１の収納ラック３４と同様に、載置部３９に付着したりしにくくなるから、衛生的である。
【００３３】
（作用）
上記実施例に示す収納ラック１９について、使用方法を通してその作用を説明する。図５（ａ）に示すように、シンク１の凹み部２の後面壁８の固定部材１１に、籠状の収納部材１８を引っ掛けて取り付け、収納ラック１９を収納部材１８に引っ掛けて取り付けて使用する。
【００３４】
籠状の収納部材１８は、図４（ａ）に示すように、底部周枠部４１、中段周枠部４２及び上段周枠部４３を有し、これらの周枠部が上下方向に伸びる４本の結合杆４４で上下方向に間隔をおいて結合されて構成されている。底部周枠部４１には格子状の載置棚４９が形成されている。中段周枠部４２の後枠４５にはその横幅方向中央に下方に向いたＵ字型の引っ掛け部４６が形成されている。
【００３５】
籠状の収納部材１８は、その引っ掛け部４６を、シンク１の凹み部２の後壁５に設けられているコの字型の固定部材１１（図１（ｂ）参照）に引っ掛けて、図４（ｂ）、（ｃ）に示すように凹み部２に固定する。そして、収納ラック１９は、図５（ａ）に示すように、その引っ掛け部２２を収納部材１８の中段周枠部４２の前枠４７に引っ掛けることにより、収納部材１８に取り付ける。
【００３６】
このように、収納ラック１９を籠状の収納部材１８に取り付けた状態では、図５（ａ）に示すように、抜け抑制部２６は、籠状の収納部材１８の底部周枠部４１の前枠４８の下方かつ後方に位置する。
【００３７】
この状態で、スポンジを収納ラック１９から上方に取り出す際に、スポンジとともに収納ラック１９を不意に上方に持ち上がったとしても、抜け抑制部２６が収納部材１８の底部周枠部４１の前枠４８に係合するので、収納ラック１９の引っ掛け部２２が籠状の収納部材１８の前枠４７から抜け落ちるようなことが防止できる。
【００３８】
なお、籠状の収納部材１８において、底部周枠部４１と中段周枠部４２との間隔ｐ、及び中段周枠部４２と上段周枠部４３との間隔ｐを互いに同じ長さに形成し、収納ラック１９の引っ掛け部２２の直線部２４の長さを、この間隔ｐを考慮して適宜設計すれば、図５（ａ）、（ｂ）に示すように、収納ラック１９を中段周枠部４２及び上段周枠部４３のいずれにも引っ掛けて使用することが可能となる。
【００３９】
また、別の使用態様として、実施例の収納ラック１９は、その引っ掛け部２２を、図６（ａ）、（ｂ）に示すように、シンク１の凹み部２の後面壁８の固定部材１１に直接引っ掛けて取り付けて使用することもできる。
【００４０】
実施例の収納ラック１９は、その抜け抑制部２６は、引っ掛け部２２のフック２５の最後端部２９より後方まで延設されているが、このような抜け抑制部２６のない従来の収納ラック３１の場合は、図６（ｅ）に示すように、その下部が後方に回転して、スポンジ５０が載置部３３から落下するようなことが生じる。
【００４１】
しかしながら、収納ラック１９は抜け抑制部２６が引っ掛け部２２のフック２５の最後端部２９より後方まで延設されているので、抜け抑制部２６がシンク１の凹み部２の後面壁８に当接するので、後方に回転することがなく、従って、スポンジが載置部２７から落下するようなことは防止できる。
【００４２】
ところで、図６（ｂ）に示すように、実施例の収納ラック１９をシンク１の凹み部２の後面壁８の固定部材１１に直接引っ掛けて取り付けて使用する場合は、収納ラック１９に抜け抑制部２６が設けられていても、後面壁８側に、抜け抑制部２６と係合して抜けを規制する部材がないので、収納ラック１９の引っ掛け部２２が固定部材１１から抜け落ちる可能性もある。引っ掛け部２２の直線部２４が短い場合より長い場合には、このような抜け落ちは生じやすい。
【００４３】
そこで、このような抜け落ちを解決する手段として、図６（ｃ）に示すように、シンク１の凹み部２の後面壁８に、収納ラック１９が上昇した際に、抜け抑制部２６と当接して収納ラック１９の上昇を規制する規制片５１を取り付ける構成としてもよい。
【００４４】
或いは、図６（ｄ）に示すように、収納ラック１９の引っ掛け部２２のフック２５の後部５２を下方に長く（例えば、載置部２７の前端部２８より長く）形成して、収納ラック１９が上昇しても、固定部材１１から抜けにくくする構成としてもよい。
【００４５】
図３（ｃ）に示す変形例１の収納ラック３４は、図５（ｃ）に示すように、シンク１の凹み部２の後面壁８の固定部材１１に籠状の収納部材１８を引っ掛けて取り付け、さらにこの収納部材１８に収納ラック３４を引っ掛けて取り付けて使用する。或いは、固定部材１１に引っ掛けて、凹み部２の後面壁８に直接取り付けてもよい。
【００４６】
図５（ｃ）に示すように、籠状の収納部材１８に取り付けた変形例１の収納ラック３４は、その載置部３７は、後方に向けて漸次下方となるように前後方向に傾斜して形成されているから、スポンジから排出される水が、傾斜した載置部３７に沿って後方に流れ、載置部３７の後端からシンク１内に流れ落ちる。従って、載置部３７に付着したりしにくくなるから、衛生的である。
【００４７】
変形例２及び変形例３の収納ラック３５、３６も、図示はしないが、同様に取り付けて使用し、変形例１の収納ラック３４と同様に、水が載置部３８、３９に沿って後方に流れ落ち、衛生的である。
【００４８】
以上、本発明に係る収納ラック及び該収納ラックを取り付けるシンクを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４９】
本発明に係る収納ラック及び該収納ラックを取り付けるシンクは上記のような構成であるから、キッチンのシンク周りで使用する、特にスポンジを収納するスポンジラックとして適用することが適切であるが、スポンジ以外の他の部材を収納する収納ラックとしても適用可能である。
【符号の説明】
【００５０】
１  シンク                            
２  シンクの凹み部                    
３  シンクの底面                      
４  シンクの後壁                      
５  シンクの側壁                      
６  シンクの前面部                    
８  凹み部の後面壁                    
９  凹み部の内側壁
１０  鉛直面                    
１１  凹み部に固定した固定部材         
１２  固定部材の係合部                 
１３  固定部材の折り返し部分           
１４  固定部材のねじ部                 
１５  袋ねじ                           
１８  収納部材                         
１９  収納ラック                       
２０  収納ラックの側面部               
２１  収納ラックの側面部を結合する橋絡部
２２  収納ラックの引っ掛け部           
２３  収納ラックの収納部               
２４  引っ掛け部の直線部               
２５  引っ掛け部のフック               
２６  収納ラックの抜け抑制部           
２７  収納ラックの載置部               
２８  収納ラックの前端部
２９  フックの最後端部                 
３１  従来の収納ラック                 
３２  従来の収納ラックの引っ掛け部     
３３  従来の収納ラックの載置部         
３４  変形例１の収納ラック             
３５  変形例２の収納ラック             
３６  変形例３の収納ラック             
３７  変形例１の収納ラック載置部       
３８  変形例２の収納ラック載置部       
３９  変形例３の収納ラック載置部       
４１  収納部材の底部周枠部             
４２  収納部材の中段周枠部             
４３  収納部材の上段周枠部             
４４  結合杆                           
４５  中段周枠部の後枠                 
４６  中段周枠部の引っ掛け部           
４７  中段周枠部の前枠                 
４８  底部周枠部の前枠             
４９  収納部材の載置棚                 
５０  スポンジ                         
５１  凹み部の後面壁の規制片           
５２  フックの後部                     
【図１】
0005965589.tif 000002
【図２】
0005965589.tif 000003
【図３】
0005965589.tif 000004
【図４】
0005965589.tif 000005
【図５】
0005965589.tif 000006
【図６】
0005965589.tif 000007